(57)【要約】【課題】外観上の見栄えを損なうことなく使用することができ、しかも、押出し成形による連続成形により製作を可能とした吊下げ部を備えた額縁を提供する。【解決手段】表裏の両挟持片部１−１，１−２と、この両挟持片部を連設する縁片部１−３とで断面略コの字状に押出し成形される枠材１の裏側挟持片部１−２に沿わせて外周開口の掛止凹部５を設け、この掛止凹部５に抜動不能に且つ溝方向に摺動可能に吊下げ具６を装着する。また、掛止凹部５は、大径溝部５−１と、この大径溝部から開口させた幅狭挿入口部５−２とで断面略鍵穴状に形成する一方、吊下げ具６は、大径溝部５−１に係合させる掛止頭部６−１と、枠材１から外周方向に突出し且つ挿入口部５−２の開口幅にて掛止頭部から一体に延設させた吊り部６−２とを備える。【選択図】　図１
2004105525.tif 000002
【特許請求の範囲】
【請求項１】
表裏の両挟持片部と、この両挟持片部を連設する縁片部とから断面略コの字状を呈する押出し成形の枠材からなる額縁であって、
前記枠材の裏側挟持片部に沿わせて外周開口の掛止凹部を設け、この掛止凹部に抜動不能に且つ溝方向に摺動可能に吊下げ具を挿し込み装着してなり、
前記掛止凹部は、大径溝部と、この大径溝部から外周方向に開口させた幅狭挿入口部とで断面略鍵穴状に形成し、
前記吊下げ具は、前記大径溝部に挿し込み係合させる掛止頭部と、前記枠材の縁片部から外周方向に突出するように且つ前記挿入口部の開口幅にて掛止頭部から一体に延設させた吊り部とを備えてなることを特徴とする額縁。
【請求項２】
請求項１記載の掛止凹部を備える枠材及び吊下げ具が、合成樹脂材料を用いた押出し成形により連続的に作られてなることを特徴とする額縁。
【発明の詳細な説明】
【０００１】
【発明の属する技術分野】
本発明は、壁等に吊下げて使用されるホワイトボード、黒板、掲示板、広告板、或いは写真や絵画その他の壁掛けボードの額縁に係り、特に額縁の吊下げ構造に関する。
【０００２】
【従来の技術】
従来から壁等に吊下げる吊下げ部を有するホワイトボード等は知られている。例えば実開昭５９−１４０８８４号公報（以後、前者）、或いは実開昭６２−６８６６３号公報や実開平０７−１７５８９号公報（以後、後者）等において公表されているものが知られている。
【０００３】
【発明が解決しようとする課題】
ところが、前者公報において公表されている吊下げ構造は、後者公報の吊下げ構造に比べて、上部縁枠に装着される左右一対の吊下げ具を離間又は接近方向にスライドさせることで、壁面に設けられた掛止釘等の間隔等に制約されることなく、該掛止釘等に合わせて吊下げることができる利点がある反面、吊下げ具を形成するクランプの前側片部が縁枠の表面に出っ張るように露出してしまうことから、見栄えが悪い。特に写真や絵画等の額縁として用いた場合、外観上の見栄えの悪さが顕著に現れてしまうものである。
【０００４】
また、後者の縁枠は押出し成形による連続成形が可能ではあるが、吊下げ具においては独自の射出成形型を製作し、この成形型を用いて個々に製作しなければならないことから、製作コストの高騰を招く要因になっていた。
【０００５】
本発明はこの様な従来事情に鑑みてなされたもので、その目的とする処は、外観上の見栄えを損なうことなく使用することができ、しかも、押出し成形による連続成形により製作を可能とした吊下げ部を備えた額縁を提供することにある。
【０００６】
【課題を達成するための手段】
課題を達成するために本発明は、表裏の両挟持片部と、この両挟持片部を連設する縁片部とから断面略コの字状を呈する押出し成形の枠材からなる額縁であって、
前記枠材の裏側挟持片部に沿わせて外周開口の掛止凹部を設け、この掛止凹部に抜動不能に且つ溝方向に摺動可能に吊下げ具を挿し込み装着してなり、
前記掛止凹部は、大径溝部と、この大径溝部から外周方向に開口させた幅狭挿入口部とで断面略鍵穴状に形成し、
前記吊下げ具は、前記大径溝部に挿し込み係合させる掛止頭部と、前記枠材の縁片部から外周方向に突出するように且つ前記挿入口部の開口幅にて掛止頭部から一体に延設させた吊り部とを備えてなることである。
【０００７】
また、上記掛止凹部を備える枠材及び吊下げ具が、適宜の弾性を有する合成樹脂材料を用いた押出し成形により一体に作られてなることである。
【０００８】
【発明の実施の形態】
本発明の実施の具体例を図面に基づいて説明する。
図１は、本発明の額縁Ａをホワイトボードに用いた実施形態の一例を示し、１は枠材、２は金属性ボード板、３は紙製裏地板、４は紙製中間板であり、ボード板２の裏側に中間板４を、その裏側に裏地板３を重ねた状態でそれらの周囲各辺を枠材１にて前後から挟持し、重合保持するようにしてある。
【０００９】
枠材１は、合成樹脂材料やその他の適宜の弾性を有する成形材料等を用いた押出し成形により、表裏の両挟持片部１−１，１−２と、この両挟持片部１−１，１−２を連設する縁片部１−３とから断面略コの字状に一体成形されるものであり、裏側挟持片部１−２に沿わせて外周開口の掛止凹部５を設け、この掛止凹部５に後述の吊下げ具６が抜動不能に且つ溝方向に摺動可能に挿し込み装着されるようにしてある。
【００１０】
掛止凹部５は、枠材１が押出し成形により連続的に一体成形されると同時に、該枠材１の裏側挟持片部１−２に沿わせて一体に形成されるものであり、大径溝部５−１と、この大径溝部５−１から外周方向に開口させた幅狭挿入口部５−２とで断面略鍵穴状に形成されてなる。
【００１１】
大径溝部５−１は、吊下げ具６の後述する掛止頭部６−１を開口方向に抜動不能に保持し、且つ、裏側挟持片部１−２に沿う溝方向に対して摺動可能に保持する。
つまり、吊下げ具６を枠材１に抜動不能に連結保持する役目と、壁面Ｘに設けられた掛止釘Ｃ等の間隔等に合わせて任意に移動し得るように吊下げ具６を枠材１に連結保持する役目を成すもので、その溝形状としては丸型や図示例ような角型等、特に限定されるものではない。
【００１２】
挿入口部５−２は、吊下げ具６の係止頭部６−１を前述の大径溝部５−１に導く役目と、該大径溝部５−１内に係止頭部６−１が導かれて係合内在せしめた後において、弾性復元せしめて大径溝部５−１からの係止頭部５−１の抜動を防ぐ役目とを成すもので、大径溝部５−１の大きさ（溝幅）よりも狭い開口幅にて該大径溝部５−１から裏側挟持片部１−２に沿わせて、該挟持片部１−２と縁片部１−３との連設コーナー部位に至るように形成されるものである。
【００１３】
そして、この挿入口部５−２には掛止頭部６−１が挿し込まれるに連れて速やかに拡開変形せしめて、該掛止頭部６−１が大径溝部５−１内へと速やかに導かれ係合せしめるように案内する導入斜面７が、大径溝部５−１から漸次拡開傾斜状に形成されている。
【００１４】
吊下げ具６は、掛止凹部５への連結により、額縁Ａを壁面に設けられた掛止釘等に吊下げるもので、枠材１と同じ又はその他の成形材料等を用いた押出し成形により連続成形された後に、必要とする適宜の長さ（幅）に切断加工されることで、製作されるものである。
この吊下げ具６は、前記挿入口部５−２を拡開変形せしめながらの挿し込みにより、前記大径溝部５−１に係合させる掛止頭部６−１と、この掛止頭部６−１から一体に延設させた吊り部６−２とを備え、この吊り部６−２に設けられる吊り孔８を前記掛止釘Ｃ等に直接掛ける又は吊り紐等を介して吊下げるように形成してある。
【００１５】
そして、掛止頭部５−１の前記導入斜面７と対応する部位には該導入斜面７を摺動せしめて挿入口部５−２が外方（背後方向）へ広がるように該斜面７との協働で行なう拡開斜面９が形成されている。
【００１６】
また、掛止頭部６−１から一体に延設する吊り部６−２の長さは、掛止頭部６−１を大径溝部５−１に係合せしめた状態で、枠材１の縁片部１−３から上方へ適宜の高さにて突出するように設定すれば良く、特に限定されるものではない。
【００１７】
次に、以上の如く構成した本実施例詳述の額縁によれば、ホワイトボードＢを構成するボード板２、その裏側に中間板４、そして、裏地板３を重ね合わせた状態で、それら重合する周囲の長辺縁と短辺縁とに、Ｖカットを入れて直角に折り曲げ可能とするコーナー連設部を介して一連に連ねた枠材１の長辺枠部と短辺枠部とを順次嵌め込み、ホワイトボードＢの周囲長辺縁と短辺縁に掛止凹部５を備え且つ一連に連なる枠材１を装着することで、ホワイトボードＢを製作する。
【００１８】
そして、ホワイトボードＢの長辺側又は短辺側の何れか一方を上部辺として、壁面Ｘ等に吊下げる場合には当該上部辺の枠材１裏面に設けられている掛止凹部５に、適宜の長さ（幅）に切断加工され、尚且つ、吊り孔８を有する左右一対の吊下げ具６を挿し込み装着する。
この時、掛止凹部５の導入斜面７を有する挿入口部５−２が、吊下げ具６の拡開斜面９を有する掛止頭部６−１により外方へ速やかに拡開変形されることで、掛止頭部６−１は掛止凹部５の大径溝部５−１内に速やか且つ確実に挿入され、挿入された後は大径溝部５−１と挿入口部５−２とのあご部５−３に掛止頭部６−１が引っ掛かる。
これにより、吊下げ具６の掛止頭部６−１が掛止凹部５の大径溝部５−１内に抜動不能に、尚且つ、吊下げ具６は枠材１に沿う溝方向に摺動可能に装着される。
【００１９】
図３は、他の実施形態を示し、斯かる実施例では前述の掛止凹部５と吊下げ具６との縦断面形状を図示のように形成してなる。
つまり、掛止凹部５の大径溝部５−１と挿入口部５−２とのあご部５−３を、図示例のように２箇所に設け、この両あご部５−３に引っ掛かるように吊下げ具６の掛止頭部６−１の縦断面形状を、拡開斜面９を図示例のように両面に有する略鏃状に形成してなるものである。
【００２０】
この様に、掛止凹部５と吊下げ具６との縦断面形状を変更した以外の他の構成部分においては前述した実施例詳述と基本的に同じことから、同じ構成部分に同じ符号を付することで重複説明を省略する。
【００２１】
尚、図示例では掛止凹部５の開口縁部（挿入口部５−２の開口縁部）を、枠材１の表裏の両挟持片部１−１，１−２を連設する縁片部１−３と面一としているが、該縁片部１−３よりも内側（額縁の中心側）に一段程低くすることが好ましい。詳しくは、枠材１の肉厚程度で内側に一段程低く形成することが好ましい。
これにより、押出し成形により長尺一体に成形される掛止凹部５を備えた枠材１にＶカットを入れ、当該カット部を直角に折り曲げて正面視略矩形状のホワイトボードＢ用の額縁Ａを構成する場合、Ｖカット部より確実に枠体１を直角に折り曲げて２辺の長辺枠部と２辺の短辺枠部から正面視略矩形状のホワイトボードＢ用の額縁Ａを組み立て形成することができるものである。
【００２２】
【発明の効果】
本発明の額縁は叙上の如く構成してなることから下記の作用効果を奏する。
裏面に掛止凹部を備える枠材は勿論、前記掛止凹部に挿し込み連結される吊下げ具をも型材と同様に押出し成形により連続的に製作することができる。
即ち、従来のように、生産性と生産歩留まりが悪く、製作コストの高騰を招く射出成形型を用いて吊下げ具を製作する必要がなく、型材と同様に連続的に押出し成形された押出し成形品を必要とする長さ（幅）に切断加工することで、吊下げ具を作製することができる。よって、製作コストの削減が可能となり、その分安価に提供することができる。
【００２３】
また、枠材の裏面に沿わせて設けた掛止凹部に、吊下げ部を挿し込み装着せしめて壁面に設けられる掛止釘等の直接又は吊り紐等を介して吊下げることを可能としてなることで、従来のように、枠材の表面側の見栄えを損なうこともない。
従って、装飾性が要求される写真や絵画等に有効な吊り上げ構造を備えた額縁を提供することができる。
【図面の簡単な説明】
【図１】本発明額縁を、ホワイトボードとして用いた実施形態の一例を示し、（ａ）は一部を破断して示す背面斜視図、（ｂ）は（ａ）のｂ−ｂ線拡大断面図
【図２】掛止凹部に対する吊下げ具の取り付け状態を示す同拡大断面図
【図３】本発明額縁の他の実施形態を示し、（ａ）は掛止凹部に対する吊下げ具の取り付け状態を示す要部の拡大断面図、（ｂ）は吊下げ具を掛止凹部に挿し込み係合させて取り付けた状態を示す同拡大断面図
【符号の説明】
Ａ：額縁　　　　　　　１：枠材
１−１：表側挟持片部　　　１−２：裏側挟持片部
１−３：縁辺部　　　　　　５：掛止凹部
５−１：大径溝部　　　　　５−２：挿入口部
５−３：あご部　　　　　　６：吊下げ
６−１：掛止頭部　　　　　６−２：下げ部
７：導入斜面　　　　　８：吊り孔
９：拡開斜面
【図１】
2004105525.tif 000003
【図２】
2004105525.tif 000004
【図３】
2004105525.tif 000005